(57)【要約】【課題】ドット反転形態又はカラム反転形態の駆動方法の課題である低開口比及び漏光やライン反転形態の駆動方法の課題である高システムロードを改善する薄膜トランジスタ液晶ディスプレイ及びその駆動方法を提供する。【解決手段】複数のデータ線と走査線とからなり、前記データ線及び前記走査線は、互いに交差し複数の画素を定め、各走査線上の前記画素は、複数の群に分けられ、且つ、前記群は、Ｎ個の連続した前記画素を有し、前記Ｎは２以上の整数であるディスプレイユニットと、複数の画素データ信号を前記データ線に提供するデータ駆動ユニットとからなり、前記の群中、前記データ線に対応する前記画素データ信号の極性は、互いに同一で、前記少なくとも一つの走査線上で、連続した前記群の前記画素データ信号の極性は、第一極性と第二極性間で入替わる薄膜トランジスタ液晶ディスプレイ及びその駆動方法を採用する。【選択図】  図１９
2005338830.tif 000002
【特許請求の範囲】
【請求項１】
薄膜トランジスタ液晶ディスプレイであって、
複数のデータ線及び複数の走査線からなり、前記データ線及び前記走査線は、互いに交差して複数の画素を定め、各走査線上の前記画素は、複数の群に分けられ、且つ、前記群は、Ｎ個の連続した前記画素を有し、前記Ｎは２以上の整数であるディスプレイユニットと、
複数の画素データ信号を前記データ線に提供するデータ駆動ユニットとからなり、
前記の群中、前記データ線に対応する前記画素データ信号の極性は、互いに同一で、
前記少なくとも一つの走査線上で、連続した前記群の前記画素データ信号の極性は、第一極性と第二極性間で入れ替わることを特徴とする薄膜トランジスタ液晶ディスプレイ。
【請求項２】
フレーム期間で、前記走査線に垂直な一行上で、連続した前記群の前記画素データ信号の極性は、前記第一極性と前記第二極性間で入れ替わる請求項１に記載の薄膜トランジスタ液晶ディスプレイ。
【請求項３】
連続した前記フレーム期間で、前記群の前記画素データ信号の極性は、前記第一極性と前記第二極性間で入れ替わる請求項１に記載の薄膜トランジスタ液晶ディスプレイ。
【請求項４】
二つの連続した前記群間の前記データ線の一つの幅は、前記群中の前記データ線より広い請求項１に記載の薄膜トランジスタ液晶ディスプレイ。
【請求項５】
前記Ｎは３である請求項１に記載の薄膜トランジスタ液晶ディスプレイ。
【請求項６】
前記Ｎは６である請求項１に記載の薄膜トランジスタ液晶ディスプレイ。
【請求項７】
前記Ｎは９である請求項１に記載の薄膜トランジスタ液晶ディスプレイ。
【請求項８】
薄膜トランジスタ液晶ディスプレイであって、
複数のデータ線及び複数の走査線からなり、前記データ線及び前記走査線は、互いに交差して、複数の画素を定め、各走査線上の前記画素は、複数の群に分けられ、且つ、前記群は、Ｎ個の連続した前記画素を有し、前記Ｎは２以上の整数であるディスプレイユニットと、
複数の画素データ信号を前記データ線に提供するデータ駆動ユニットとからなり、
前記群中、前記データ線に対応する前記画素データ信号の極性は、互いに同一で、
前記同一の走査線上で、前記群の前記画素データ信号の極性は、隣接する前記群の前記画素データ信号の極性と相反することを特徴とする薄膜トランジスタ液晶ディスプレイ。
【請求項９】
薄膜トランジスタ液晶ディスプレイの駆動方法であって、前記薄膜トランジスタ液晶ディスプレイは、複数のデータ線及び複数の走査線からなり、前記データ線及び前記走査線は互いに交差して複数の画素を定め、各走査線上の前記画素は複数の群に分けられ、且つ、前記群はＮ個の連続した前記画素を有し、前記Ｎは２以上の整数であり、前記駆動方法は、
前記群中、前記データ線に対応する前記画素データ信号の極性を互いに同一にする工程と、
前記走査線上で、連続した前記群の前記画素データ信号の極性を、第一極性と第二極性間で入れ替えさせる工程と、
前記複数のデータ信号を、前記データ線に提供する工程とからなることを特徴とする薄膜トランジスタ液晶ディスプレイの駆動方法。
【請求項１０】
更に、フレーム期間、前記走査線に垂直な一行上で、連続した前記群の前記画素データ信号の極性を、前記第一極性と前記第二極性間で入れ替わるようにする工程を含む請求項９に記載の薄膜トランジスタ液晶ディスプレイの駆動方法。
【請求項１１】
更に、連続した前記フレーム期間で、前記群の前記画素データ信号の極性を、前記第一極性と前記第二極性間で入れ替わるようにする工程を含む請求項９に記載の薄膜トランジスタ液晶ディスプレイの駆動方法。
【発明の詳細な説明】
【技術分野】
【０００１】
本発明は、薄膜トランジスタ液晶ディスプレイに関するものであって、特に、薄膜トランジスタ液晶ディスプレイの駆動方法に関するものである。
【背景技術】
【０００２】
一般に、液晶ディスプレイＬＣＤは、ビデオ信号に基づいて、各液晶セルの光線透過率を制御し、画像を表示している。言い換えると、ＬＣＤは、液晶セルからなる複数の画像素子又は画素を有し、液晶セルは、ビデオ信号の電圧に基づいて、光の偏向方向（ｐｏｌａｒｉｚａｔｉｏｎ  ｄｉｒｅｃｔｉｏｎ）を変更させる。液晶セルに提供される電圧を制御することにより、ＬＣＤが発射する光の量を変更させる。様々な駆動方法において、アクティブマトリクスＬＣＤは、好ましいディスプレイ品質を有する。アクティブマトリクスＬＣＤの各画素は、例えば、薄膜トランジスタ等のスイッチ素子を有し、電圧を液晶に与えるのを制御する。よって、近年来、アクティブマトリクスＬＣＤは非常に発達し、パーソナルコンピュターのモニターに幅広く応用されている。
【０００３】
図１は、従来のＬＣＤを示す図である。図１のＬＣＤは、上パネル１１０、下パネル１２０及び上パネル１１０と下パネル１２０間の液晶材料１３０からなる。上パネル１１０は、上基板１１２、上偏向板１１４、カラーフィルター片１１６及びコモン電極１１８を有する。下パネル１２０は、下基板１２２及び下偏向板１２４を有する。下基板１２２の回路は、複数の走査線１４０、走査線と垂直な複数のデータ線１４２、複数の薄膜トランジスタＴＦＴ１４４及び複数の画素電極１４６からなる。
【０００４】
図２中、データ駆動回路２１０は、ビデオデータ信号２１２及び配置制御信号２１４を受信し、且つ、画素データ信号をデータ線Ｄ１〜ＤＮに提供する。画素データ信号は、赤、緑、青のグレイレベル（ｇｒａｙ  ｌｅｖｅｌ）を表示する。走査駆動回路２２０は、走査制御信号２２２を受信し、且つ、走査線Ｓ１〜ＳＮに電気的に接続される。電圧が走査線に提供される時、この走査線に接続されるＴＦＴは導通する。よって、画素データ信号は、この走査線のＴＦＴにより、画素電極に伝送され、且つ、電圧は画素電極に提供される。一方、定電圧Ｖｃｏｍはコモン電極に提供される。コモン電極と画素電極間の電圧差は、電界を生成し、液晶分子の電界での旋回と特定のグレイレベルを生じる。
【０００５】
一般に、画素データ信号は、画素データ信号の電圧がコモン電極電圧Ｖｃｏｍより高いか低いかに基づいて正極又は負極を有する。画素データ信号の電圧がコモン電極電圧Ｖｃｏｍより低い時、画素データ信号は負極である。画素データ信号の電圧がコモン電極電圧Ｖｃｏｍより高い時、画素データ信号は正極である。液晶材料からの光の量（画素のグレイレベル）は、画素データ信号の電圧とコモン電極電圧Ｖｃｏｍの差に関係し、画素データ信号の極性とは無関係である。しかし、正極の画素データ信号が生成する液晶分子の配向は互いに相反する。ＬＣＤの寿命を延長するため、ある従来の駆動形態、例えば、ドット反転（ｄｏｔ  ｉｎｖｅｒｓｉｏｎ）、ライン反転（ｌｉｎｅ  ｉｎｖｅｒｓｉｏｎ）及びカラム反転（ｃｏｌｕｍｎ  ｉｎｖｅｒｓｉｏｎ）により、画素データ信号の極性を変更する。
【０００６】
図３及び図４は、ライン反転形態により駆動する画素データ信号の極性を示す図で、各走査線の画素データ信号の極性は互いに相反する。図５及び図６のカラム反転形態の駆動において、各データ線の画素データ信号の極性は互いに相反する。図７及び図８のドット反転形態の駆動において、各走査線及び各データ線の画素データ信号の極性は互いに相反する。図３、図５、図７は、フレーム期間の極性状態を示し、図４、図６、図８は、次のフレーム期間の極性状態を示す。よって、ある画素にとって、画素を走査する時ごとに、その極性が変化する。
【０００７】
あるフレーム期間において、隣接する画素の画素データ信号は、相違する極性を有し、漏光を生じる。これは、隣接する画素の一つが、エッジ電界効果（ｅｄｇｅ  ｅｌｅｃｔｒｉｃ  ｆｉｅｌｄ  ｅｆｆｅｃｔ）を生成するからである。図９は、画素電極６３２及び６３４を有する隣接する画素を示す図である。図１０は、図９の直線６Ｂ−６Ｂに沿った断面図である。データ線６２５を有するＴＦＴ層６２０は、基板６１０上に配置される。画素電極６３２及び６３４は、ＴＦＴ層６２０上に配置される。液晶材料６３０は、コモン電極６４０下方に充填される。カラーフィルター片６５０は、コモン電極６４０上に配置される。画素電極６３２の電極と画素電極６３４の極性は異なるので、エッジ電界効果を生成して、液晶分子の電界での旋回を生じる。これにより、光線を阻止するのに充分なデータ線６２５の幅がない場合、漏光６６０を生じる。幅の広いデータ線を使用して漏光を防止すれば、ＬＣＤの開口比（ａｐｅｒｔｕｒｅ  ｒａｔｉｏ）を犠牲にしてしまう。
【０００８】
ドット反転形態の駆動方法は、低開口比又は漏光の重大な欠点を有する。走査線に連接される画素電極の総電圧値は高いので、ライン反転形態の駆動方法は、高いシステムロードを有する。カラム反転形態は、ドット反転形態と同一の欠点を有する。よって、上述の問題を改善する駆動方法が必要である。
【０００９】
特許文献１（特開２００４−２７１７１９号公報）には、画素領域に印加される電圧の極性は２フレーム毎に反転し、かつ偶数行目の走査線は偶数フレームで反転し、奇数行目の走査線は奇数フレームで反転する工程、または偶数行目の走査線は奇数フレームで反転し、奇数行目の走査線は偶数フレームで反転する工程を含む液晶装置の表示方法が開示され、この駆動方法によって動画画質改善効果を最大限にし、フリッカを防ぐことができると記載されている。
【００１０】
しかし、特許文献１に記載されているような駆動方法においても、上述の問題を改善するものではない。
【００１１】
【特許文献１】特開２００４−２７１７１９号公報
【発明の開示】
【発明が解決しようとする課題】
【００１２】
従って、本発明は、上述の問題を解決し、ドット反転形態又はカラム反転形態の駆動方法の課題である低開口比及び漏光やライン反転形態の駆動方法の課題である高システムロードを改善することができる薄膜トランジスタ液晶ディスプレイ及びその駆動方法を提供することを目的とする。
【課題を解決するための手段】
【００１３】
本発明の前記目的は、以下に示す薄膜トランジスタ液晶ディスプレイ及びその駆動方法によって達成される。
【００１４】
すなわち、本発明は、薄膜トランジスタ液晶ディスプレイであって、
複数のデータ線及び複数の走査線からなり、前記データ線及び前記走査線は、互いに交差して複数の画素を定め、各走査線上の前記画素は、複数の群に分けられ、且つ、前記群は、Ｎ個の連続した前記画素を有し、前記Ｎは２以上の整数であるディスプレイユニットと、
複数の画素データ信号を前記データ線に提供するデータ駆動ユニットとからなり、
前記の群中、前記データ線に対応する前記画素データ信号の極性は、互いに同一で、
前記少なくとも一つの走査線上で、連続した前記群の前記画素データ信号の極性は、第一極性と第二極性間で入れ替わることを特徴とする薄膜トランジスタ液晶ディスプレイを提供するものである。
【００１５】
本発明に係る前記薄膜トランジスタ液晶ディスプレイは、フレーム期間で、前記走査線に垂直な一行上で、連続した前記群の前記画素データ信号の極性は、前記第一極性と前記第二極性間で入れ替わる。
【００１６】
本発明に係る前記薄膜トランジスタ液晶ディスプレイは、連続した前記フレーム期間で、前記群の前記画素データ信号の極性は、前記第一極性と前記第二極性間で入れ替わる。
【００１７】
本発明に係る前記薄膜トランジスタ液晶ディスプレイにおいて、二つの連続した前記群間の前記データ線の一つの幅は、前記群中の前記データ線より広い。
【００１８】
本発明に係る前記薄膜トランジスタ液晶ディスプレイにおいて、前記Ｎは３、６又は９である。
【００１９】
また、本発明は、薄膜トランジスタ液晶ディスプレイであって、
複数のデータ線及び複数の走査線からなり、前記データ線及び前記走査線は、互いに交差して、複数の画素を定め、各走査線上の前記画素は、複数の群に分けられ、且つ、前記群は、Ｎ個の連続した前記画素を有し、前記Ｎは２以上の整数であるディスプレイユニットと、
複数の画素データ信号を前記データ線に提供するデータ駆動ユニットとからなり、
前記群中、前記データ線に対応する前記画素データ信号の極性は、互いに同一で、
前記同一の走査線上で、前記群の前記画素データ信号の極性は、隣接する前記群の前記画素データ信号の極性と相反することを特徴とする薄膜トランジスタ液晶ディスプレイを提供するものである。
【００２０】
また、本発明は、薄膜トランジスタ液晶ディスプレイの駆動方法であって、前記薄膜トランジスタ液晶ディスプレイは、複数のデータ線及び複数の走査線からなり、前記データ線及び前記走査線は互いに交差して複数の画素を定め、各走査線上の前記画素は複数の群に分けられ、且つ、前記群はＮ個の連続した前記画素を有し、前記Ｎは２以上の整数であり、前記駆動方法は、
前記群中、前記データ線に対応する前記画素データ信号の極性を互いに同一にする工程と、
前記走査線上で、連続した前記群の前記画素データ信号の極性を、第一極性と第二極性間で入れ替えさせる工程と、
前記複数のデータ信号を、前記データ線に提供する工程とからなることを特徴とする薄膜トランジスタ液晶ディスプレイの駆動方法を提供するものである。
【００２１】
本発明に係る薄膜トランジスタの液晶ディスプレイの駆動方法は、更に、フレーム期間、前記走査線に垂直な一行上で、連続した前記群の前記画素データ信号の極性を、前記第一極性と前記第二極性間で入れ替わるようにする工程を含む。
【００２２】
本発明に係る薄膜トランジスタの液晶ディスプレイの駆動方法は、更に、連続した前記フレーム期間で、前記群の前記画素データ信号の極性を、前記第一極性と前記第二極性間で入れ替わるようにする工程を含む。
【発明の効果】
【００２３】
本発明により、ドット反転形態又はカラム反転形態の駆動方法の重大な欠点であった低開口比及び漏光やライン反転形態の駆動方法の欠点であった高システムロードを改善することができる。
【発明を実施するための最良の形態】
【００２４】
以下、図面を参照して本発明の実施形態について説明する。
図１１を参照すると、本発明の実施形態であるＬＣＤは、複数の走査線Ｓ１〜ＳＮ、複数のデータ線Ｄ１〜ＤＮ、データ反転駆動回路７１０及び走査駆動回路７２０からなる。走査線Ｓ１〜ＳＮとデータ線Ｄ１〜ＤＮは交差し、複数の画素を形成する。データ反転駆動回路７１０は、ビデオデータ信号７１２及び配置制御信号７１４を受信して、データ線Ｄ１〜ＤＮに提供する画素データ信号を生成する。
【００２５】
ビデオデータ信号７１２は、赤、緑、青のグレイレベルを表示する。データ反転駆動回路７１０は、配置制御信号７１４を使用し、所定の反転駆動形態に基づいてビデオデータ信号７１２を画素データ信号に転換する。画素データ信号は、画素データ信号の電圧がコモン電極電圧Ｖｃｏｍより高いか低いかに基づいて正極又は負極を有する。画素データ信号の電圧がコモン電極電圧Ｖｃｏｍより低い時、画素データ信号は負極である。画素データ信号の電圧が、コモン電極電圧Ｖｃｏｍより高い時、画素データ信号は正極である。液晶材料からの光の量（画素のグレイレベル）は、画素データ信号の電圧とコモン電極電圧Ｖｃｏｍの差に関係し、画素データ信号の極性とは無関係である。しかし、正極の画素データ信号が生成する液晶分子の配向と負極の画素データ信号が生成する液晶分子配向は互いに相反する。
【００２６】
図１２は、本発明に係る実施形態中のフレーム期間の極性を示す図である。各走査線の画素は複数の群に分けられ、各群は、３個の連続した画素、赤、緑、青画素を有する。各群中、複数のデータ線に対応する複数の画素データ信号は、同一の極性を有する。例えば、第一走査線上で、画素Ｒ１、Ｇ１及びＢ１の画素データ信号の極性は同一で、すべて正極である。走査線上で、各連続した群の画素データ信号の極性は、第一極性と第二極性間で入れ替わる。例えば、第一走査線下で、画素Ｒ２、Ｇ２及びＢ２の画素データ信号の極性は同一で、すべて負極であるが、画素Ｒ２、Ｇ２及びＢ２の極性と隣接する群中の画素Ｒ１、Ｇ１及びＢ１の極性は相反する。画素Ｒ３、Ｇ３及びＢ３の画素データ信号の極性は、互いに同一で、且つ、入れ替わって正極になる。
【００２７】
実施形態中、本発明に係る反転駆動形態は、各群中、複数のデータ線に対応する複数の画素データ信号が同一の極性を有し、同一の走査線上で、各連続した群の画素データ信号の極性は、第一極性と第二極性間で入れ替わる。
【００２８】
各フレーム期間中、連続した走査線上で、且つ、同一のデータ線の各連続した群の画素データ信号の極性は、第一極性と第二極性間で入れ替わる。例えば、第一走査線上で、画素Ｒ１、Ｇ１及びＢ１の画素データ信号は正極である。第二走査線上で、画素Ｒ１、Ｇ１及びＢ１の画素データ信号は負極で、第一走査線上の極性と相反する。第三走査線上で、画素Ｒ１、Ｇ１及びＢ１の画素データ信号は入れ替わって正極である。実施形態中、データ反転駆動回路７１０は、連続した走査線上で、且つ、同一のデータ線の各連続した群の画素データ信号の極性を第一極性と第二極性間で入れ替える。
【００２９】
図１３は、図１２の次のフレーム期間の極性を示す図である。連続したフレーム期間中、各群の画素データ信号の極性は、第一極性と第二極性間で入れ替わる。例えば、図１３中、第一走査線上の画素Ｒ１、Ｇ１及びＢ１の画素データ信号は正極である。次の連続したフレーム期間で、図１３で示されるように、第一走査線上の画素Ｒ１、Ｇ１、及び、Ｂ１の画素データ信号は負極で、図１２の極性と相反する。実施形態中、連続したフレーム期間中、データ反転駆動回路７１０は、ある群の画素データ信号の極性を第一極性と第二極性間で入れ替える。
【００３０】
図１４は、本発明のもう一つの実施形態中のフレーム期間の極性を示す図である。各走査線の画素は複数の群に分けられ、各群は、６個の連続した画素を有する。ある群中、複数の画素のデータ信号は同一の極性を有する。例えば、第一走査線上で、画素Ｒ１、Ｇ１、Ｂ１、Ｒ２、Ｇ２、Ｂ２（第一画素群）の画素データ信号の極性は同一で、すべて正極である。走査線上で、各連続した群の画素データ信号の極性は、第一極性と第二極性間で入れ替わる。例えば、第一走査線下で、画素Ｒ３、Ｇ３、Ｂ３、Ｒ４、Ｇ４、Ｂ４（第二画素群）の画素データ信号の極性は同一で、すべて負極であるが、第一画素群と相反する。
【００３１】
あるフレーム期間中、連続した走査線上で、且つ、同一のデータ線の各連続した群の画素データ信号の極性は、第一極性と第二極性間で入れ替わる。例えば、第一走査線上で、画素Ｒ１、Ｇ１、Ｂ１、Ｒ２、Ｇ２、Ｂ２の画素データ信号の極性は正極である。第二走査線上で、画素Ｒ１、Ｇ１、Ｂ１、Ｒ２、Ｇ２、Ｂ２の画素データ信号は負極で、第一走査線上の極性と相反する。第三走査線上で、画素Ｒ１、Ｇ１、Ｂ１、Ｒ２、Ｇ２、Ｂ２の画素データ信号は入れ替わって正極になる。
【００３２】
図１５は、図１４の次のフレーム期間の極性を示す図である。連続したフレーム期間中、各群の画素データ信号の極性は、第一極性と第二極性間で入れ替わる。例えば、図１４中、第一走査線上の画素Ｒ１、Ｇ１、Ｂ１、Ｒ２、Ｇ２、Ｂ２の画素データ信号は正極である。次のフレーム期間中、図１５で示されるように、第一走査線上の画素Ｒ１、Ｇ１、Ｂ１、Ｒ２、Ｇ２、Ｂ２の画素データ信号は負極で、図１４の極性と相反する。
【００３３】
図１６は、本発明のもう一つの実施形態中のフレーム期間の極性を示す図で、各走査線の画素は複数の群に分けられ、各群中、９個の連続した画素を有する。同様に、図１７は、本発明のもう一つの実施例中、フレーム期間の極性を示す図である。各走査線の画素は、複数の群に分けられ各群は、２個の連続した画素を有する。走査線の画素は、Ｎ群の連続した画素に分けられ、Ｎは２以上であれば、走査線上の画素の総数量はＮの倍数である必要はない。
【００３４】
図１８において、信号ＰＯＬ１及びＰＯＬ２は、配置制御信号７１４となり、反転駆動形態を生成する。当業者であるならば、その他の方式により反転駆動形態にすることもできる。
【００３５】
図１９は、本発明に係るＬＣＤを示す図である。二つの連続した画素群間のデータ線は各画素群のデータ線より幅が広い。この実施形態は、図１２の反転駆動形態により駆動する。データ線１３３０、１３３２、１３３４、１３３６及び１３３８を有するＴＦＴ層１３２０は、基板１３１０上に配置される。画素電極１３５０、１３５２、１３５４、１３５６及び１３５８は、ＴＦＴ層１３２０上に配置される。液晶材料１３４０は、コモン電極１３６０下に充填される。カラーフィルター片１３７０は、コモン電極１３６０上に配置される。３個の連続した画素を一つの群とするので、画素電極１３５０、１３５２及び１３５４は正極で、画素電極１３５６、１３５８及び１３５９は負極である。画素電極１３５０と１３５２間及び画素電極１３５２と１３５４間には、エッジ電界がないが、画素電極１３５４と１３５６間のエッジ電界は、漏光を生じる。よって、データ線１３３４は広く漏光を減少させる。
【００３６】
図１９の実施形態において、各第三データ線の幅は広く、図１２及び図１３中の３個の画素により構成される群に適用される。各群中、Ｎ個の画素が同一の極性を有し、且つ、連続した群の極性は、相互に入れ替わり、この他、各第Ｎデータ線は幅が広く漏光を減少させることが理解される。これにより、Ｎを２以上にすることにより、開口比を大幅に減少させなくても漏光を減少させることができる。
【００３７】
本発明では好ましい実施形態を前述の通り開示したが、これらは決して本発明に限定するものではなく、当該技術を熟知する者なら誰でも、本発明の精神と領域を脱しない範囲内で各種の変動、変形、付加及び改善を加えることができ、従って本発明の保護範囲は、特許請求の範囲で指定した内容を基準とする。
【産業上の利用可能性】
【００３８】
本発明に係る薄膜トランジス液晶ディスプレイの駆動方法によって、ドット反転形態又はカラム反転形態の駆動方法の課題である低開口比及び漏光やライン反転形態の駆動方法の課題である高システムロードが改善される。従って、これを用いた本発明に係る薄膜トランジス液晶ディスプレイは、当該技術分野で好適に用いられる。
【図面の簡単な説明】
【００３９】
【図１】図１は、従来のＬＣＤを示す図である。
【図２】図２は、図１中の下パネルを示す図である。
【図３】図３は、ライン反転形態で駆動する画素データ信号の極性を示す図である。
【図４】図４は、ライン反転形態で駆動する画素データ信号の極性を示す図である。
【図５】図５は、カラム反転形態で駆動する画素データ信号の極性を示す図である。
【図６】図６は、カラム反転形態で駆動する画素データ信号の極性を示す図である。
【図７】図７は、ドット反転形態で駆動する画素データ信号の極性を示す図である。
【図８】図８は、ドット反転形態で駆動する画素データ信号の極性を示す図である。
【図９】図９は、走査線上の二つの隣接する画素を示す図である。
【図１０】図１０は、図９の６Ｂ−６Ｂに沿った断面図である。
【図１１】図１１は、本発明に係る反転駆動形態を使用した液晶ディスプレイを示す図である。
【図１２】図１２は、本発明に係る駆動方法により駆動し、且つ、３個の画素を一つの群とする画素データ信号の極性を示す図である。
【図１３】図１３は、本発明に係る駆動方法により駆動し、且つ、３個の画素を一つの群とする画素データ信号の極性を示す図である。
【図１４】図１４は、本発明に係る駆動方法により駆動し、且つ、６個の画素を一つの群とする画素データ信号の極性を示す図である。
【図１５】図１５は、本発明に係る駆動方法により駆動し、且つ、６個の画素を一つの群とする画素データ信号の極性を示す図である。
【図１６】図１６は、本発明に係る駆動方法により駆動し、且つ、９個の画素を一つの群とする画素データ信号の極性を示す図である。
【図１７】図１７は、本発明に係る駆動方法により駆動し、且つ、２個の画素を一つの群とする画素データ信号の極性を示す図である。
【図１８】図１８は、配置制御信号を使用し、反転駆動形態を生成する実施形態を示す図である。
【図１９】図１９は、本発明に係るＬＣＤを示す図である。
【符号の説明】
【００４０】
１１０…上パネル
１１２…基板
１１４…上偏向板
１１６…カラーフィルター片
１１８…コモン電極
１２０…下パネル
１２２…下基板
１３０…液晶材料
１２４…下偏向板
１４０…走査線
１４２…データ線
１４４…薄膜トランジスタ
１４６…画素電極
２１０…データ駆動回路
２１２…ビデオデータ信号
２１４…配置制御信号
２２０…走査駆動回路
２２２…走査制御信号
Ｄ１〜ＤＮ…データ線
Ｓ１〜ＳＮ…走査線
６１０…基板
６２０…ＴＦＴ層
６２５…データ線
６３０…液晶材料
６３２、６３４…画素電極
６４０…コモン電極
６５０…カラーフィルター片
６６０…漏光
７１０…データ反転駆動回路
７１２…ビデオデータ信号
７１４…配置制御信号
７２０…走査駆動回路
Ｒ１〜Ｒ４、Ｇ１〜Ｇ４、Ｂ１〜Ｂ４…画素
ＰＯＬ１、ＰＯＬ２…配置制御信号
１３１０…基板
１３２０…ＴＦＴ層
１３３０、１３３２、１３３４、１３３６、１３３８…データ線
１３４０…液晶材料
１３５０、１３５２、１３５４、１３５６、１３５８…画素電極
１３６０…コモン電極
１３７０…カラーフィルター片
【図１】
2005338830.tif 000003
【図２】
2005338830.tif 000004
【図３】
2005338830.tif 000005
【図４】
2005338830.tif 000006
【図５】
2005338830.tif 000007
【図６】
2005338830.tif 000008
【図７】
2005338830.tif 000009
【図８】
2005338830.tif 000010
【図９】
2005338830.tif 000011
【図１０】
2005338830.tif 000012
【図１１】
2005338830.tif 000013
【図１２】
2005338830.tif 000014
【図１３】
2005338830.tif 000015
【図１４】
2005338830.tif 000016
【図１５】
2005338830.tif 000017
【図１６】
2005338830.tif 000018
【図１７】
2005338830.tif 000019
【図１８】
2005338830.tif 000020
【図１９】
2005338830.tif 000021